(57)【要約】      （修正有）【課題】手間を要することなく、シートサイズに応じた適切な大きさの支持面を形成できるシートトレイを提供する。【解決手段】排紙トレイ２１は、記録用紙を支持する上面８８を有する第１受け部材８１と、記録用紙を支持する上面９１と第１把持部４１とを有し、第１受け部材８１に対して押し入れ及び引き出し可能な第２受け部材８２と、記録用紙を支持する上面９４と第２把持部４２とを有し、第２受け部材８２に対して押し入れ及び引き出し可能な第３受け部材８３と、を備える。第１受け部材８１は、押し入れられた状態の第２受け部材８２及び第３受け部材８３を覆っている。第２受け部材８２は、第３受け部材８３が引き出し可能な状態を維持しつつ第２把持部４１を露出する凹部４８を有する。第１受け部材８１は、受け部材８２、８３が引き出し可能な状態を維持しつつ把持部４１、４２を露出する凹部４９を有する。【選択図】図８
2015034067.tif 000002
【特許請求の範囲】
【請求項１】
装置へ給送または上記装置から排出されるシートを支持する第１支持面を有する第１受け部材と、
上記シートを支持する第２支持面と第１把持部とを有し、上記第２支持面が上記第１支持面と重畳する第１位置と、上記第２支持面の上記第１支持面に対する重畳面積が上記第１位置よりも小さい第２位置と、に、上記シートが給送または排出される第１向きに沿って移動可能に上記第１受け部材に支持されている第２受け部材と、
上記シートを支持する第３支持面と第２把持部とを有し、上記第３支持面が上記第２支持面と重畳する第３位置と、上記第３支持面の上記第２支持面に対する重畳面積が上記第３位置よりも小さい第４位置と、に上記第１向きに沿って移動可能に上記第２受け部材に支持されている第３受け部材と、を備え、
上記第２受け部材が上記第１位置且つ上記第３受け部材が上記第３位置の状態において、上記第１受け部材、上記第２受け部材、及び上記第３受け部材のうち最も上方に位置する部材は、当該部材の下方に位置する他の部材の上方を覆っており、
上記第１受け部材及び上記第２受け部材のうち、上記第３位置にある上記第３受け部材の上記第２把持部側に位置する部材は、上記第３受け部材が上記第３位置から上記第４位置に移動可能な状態を維持しつつ上記第２把持部を露出し、
上記第１受け部材及び上記第３受け部材のうち、上記第１位置にある上記第２受け部材の上記第１把持部側に位置する部材は、上記第２受け部材が上記第１位置から上記第２位置へ移動可能な状態を維持しつつ上記第１把持部を露出するシートトレイ。
【請求項２】
上記第１受け部材及び上記第２受け部材のうち、上記第３位置にある上記第３受け部材の上記第２把持部側に位置する部材は、上記第１向きの下流端から、上記第２受け部材が上記第１位置且つ上記第３受け部材が第３位置の状態における上記第２把持部の真上の位置まで上記第１向きに沿って凹んだ凹部を有する請求項１に記載のシートトレイ。
【請求項３】
上記第１受け部材及び上記第３受け部材のうち、上記第１位置にある上記第２受け部材の上記第１把持部側に位置する部材は、上記第１向きの下流端から、上記第２受け部材が上記第１位置且つ上記第３受け部材が第３位置の状態における上記第１把持部の真上の位置まで上記第１向きに沿って凹んだ凹部を有する請求項１または２に記載のシートトレイ。
【請求項４】
上記第１受け部材は、上記第２受け部材よりも上方に設けられており、
上記第２受け部材は、上記第３受け部材よりも上方に設けられている請求項１から３のいずれかに記載のシートトレイ。
【請求項５】
上記第１把持部は、上記第２把持部よりも上記第１向き上流側に設けられている請求項１から４のいずれかに記載のシートトレイ。
【請求項６】
上記第１把持部及び上記第２把持部は、上記第１向きと直交し且つ上記第１支持面に沿った幅方向において、互いに重複する位置に設けられている請求項１から５のいずれかに記載のシートトレイ。
【請求項７】
上記第１把持部は、上記幅方向において、上記第２受け部材の中央部に設けられており、
上記第２把持部は、上記幅方向において、上記第３受け部材の中央部に設けられている請求項６に記載のシートトレイ。
【請求項８】
上記第２受け部材は、上記第１把持部を把持して上記第２受け部材を上記第１向きに移動させたときに上記第１支持面及び上記第２支持面に支持可能なシートサイズを示す第１表示部を備え、
上記第３受け部材は、上記第２把持部を把持して上記第３受け部材及び上記第２受け部材を上記第１向きに移動させたときに上記第１支持面、上記第２支持面、及び上記第３支持面に支持可能なシートサイズを示す第２表示部を備える請求項１から７のいずれかに記載のシートトレイ。
【請求項９】
上記第１把持部は、上記第２支持面に対して起立する姿勢と上記第２支持面に対して倒伏する姿勢とに回動する第１回動ストッパを備える請求項１から８のいずれかに記載のシートトレイ。
【請求項１０】
上記第２把持部は、上記第３支持面に対して起立する姿勢と上記第３支持面に対して倒伏する姿勢とに回動する第２回動ストッパを備える請求項１から９のいずれかに記載のシートトレイ。
【発明の詳細な説明】
【技術分野】
【０００１】
本発明は、装置へ給送または装置から排出されるシートを支持するシートトレイに関する。
【背景技術】
【０００２】
プリンタなどの画像記録装置には、当該装置へ給送されるシートが載置される手差しトレイや、当該装置から排出されるシートが載置される排出トレイなどのシートトレイが設けられている。
【０００３】
近年、画像記録装置の小型化が求められている一方で、大きなサイズの記録用紙が画像記録装置によって画像記録されることが求められている。この相反する要望を解決可能な装置として、特許文献１には、重畳された複数のスタック部材の各々が直上のスタック部材に対して引き出し可能な排出スタッカーが開示されている。当該排出スタッカーにおいては、各スタック部材の引き出し向きに沿った長さが短いため、画像記録装置を小型化することができる。一方、当該排出スタッカーにおいては、複数のスタック部材の全てを引き出すことによって、複数のスタック部材の全体としての引き出し向きに沿った長さを長くすることができる。これにより、排出スタッカーは、大きなサイズの記録用紙を支持することができる。
【先行技術文献】
【特許文献】
【０００４】
【特許文献１】特開２０１１−２３５９８６号公報
【発明の概要】
【発明が解決しようとする課題】
【０００５】
しかしながら、特許文献１に開示された排出スタッカーを備えており大きなサイズの記録用紙に画像記録可能な画像記録装置であっても、小さなサイズの記録用紙に画像記録を行う場合がある。この場合、複数のスタック部材の全てを引き出すと、画像記録されて排出される記録用紙に比べて排出スタッカーにおける記録用紙の支持面が必要以上に大きくなってしまう。その一方で、排出スタッカーにおける記録用紙の支持面を記録用紙を支持するのに適した大きさにするために、各スタック部材の引き出し長さを調整したり、複数のスタック部材を引き出すものと引き出さないものに分けたりすることは手間がかかる。
【０００６】
本発明は、上記問題に鑑みてなされたものであり、その目的は、手間を要することなく、シートサイズに応じた適切な大きさの支持面を形成することができるシートトレイを提供することにある。
【課題を解決するための手段】
【０００７】
(1)  本発明に係るシートトレイは、装置へ給送または上記装置から排出されるシートを支持する第１支持面を有する第１受け部材と、上記シートを支持する第２支持面と第１把持部とを有し、上記第２支持面が上記第１支持面と重畳する第１位置と、上記第２支持面の上記第１支持面に対する重畳面積が上記第１位置よりも小さい第２位置と、に、上記シートが給送または排出される第１向きに沿って移動可能に上記第１受け部材に支持されている第２受け部材と、上記シートを支持する第３支持面と第２把持部とを有し、上記第３支持面が上記第２支持面と重畳する第３位置と、上記第３支持面の上記第２支持面に対する重畳面積が上記第３位置よりも小さい第４位置と、に上記第１向きに沿って移動可能に上記第２受け部材に支持されている第３受け部材と、を備える。上記第２受け部材が上記第１位置且つ上記第３受け部材が上記第３位置の状態において、上記第１受け部材、上記第２受け部材、及び上記第３受け部材のうち最も上方に位置する部材は、当該部材の下方に位置する他の部材の上方を覆っている。上記第１受け部材及び上記第２受け部材のうち、上記第３位置にある上記第３受け部材の上記第２把持部側に位置する部材は、上記第３受け部材が上記第３位置から上記第４位置に移動可能な状態を維持しつつ上記第２把持部を露出する。上記第１受け部材及び上記第３受け部材のうち、上記第１位置にある上記第２受け部材の上記第１把持部側に位置する部材は、上記第２受け部材が上記第１位置から上記第２位置へ移動可能な状態を維持しつつ上記第１把持部を露出する。
【０００８】
シートトレイのユーザが第１把持部を把持して第２受け部材を第１向きに移動させると、第２受け部材は第１受け部材から引き出されて第１位置から第２位置に移動する。このとき、第２受け部材に支持された第３受け部材は、第２受け部材と一体に第１向きに移動する。つまり、第３受け部材は、ユーザに触れられていないため、第２受け部材に対して移動することはない。以上より、ユーザが第１把持部を把持して第２受け部材を第２位置に移動させることにより、シートトレイにおけるシートの支持面が、第１支持面及び第２支持面によって形成される。
【０００９】
一方、ユーザが第２把持部を把持して第３受け部材を第１向きに移動させると、第３受け部材は第２受け部材から引き出されて第３位置から第４位置に移動する。そして、ユーザが更に第３受け部材を第１向きに移動させると、第３受け部材を支持する第２受け部材は、第３受け部材と一体に第１向きに移動する。その結果、第２受け部材は、第１受け部材から引き出されて第１位置から第２位置に移動する。以上より、ユーザが第２把持部を把持して第３受け部材を第１向きに移動させることにより、第３受け部材は第４位置に移動し且つ第２受け部材は第２位置に移動する。その結果、シートトレイにおけるシートの支持面が、第１支持面、第２支持面、及び第３支持面によって形成される。
【００１０】
以上より、本構成によれば、ユーザが把持する把持部に応じてシートの支持面の大きさを変えることができる。具体的には、ユーザが第１把持部を把持して第１向きに移動させることにより、シートの支持面の大きさを、所定サイズのシートの支持に適した大きさにすることができ、ユーザが第２把持部を把持して第１向きに移動させることにより、シートの支持面の大きさを、上記所定サイズよりも大きなサイズのシートの支持に適した大きさにすることができる。
【００１１】
(2)  上記第１受け部材及び上記第２受け部材のうち、上記第３位置にある上記第３受け部材の上記第２把持部側に位置する部材は、上記第１向きの下流端から、上記第２受け部材が上記第１位置且つ上記第３受け部材が第３位置の状態における上記第２把持部の真上の位置まで上記第１向きに沿って凹んだ凹部を有する。
【００１２】
本構成によれば、第３受け部材の第３位置から第４位置への移動を、第１受け部材及び第２受け部材のうち第３受け部材の第２把持部側に配置された部材に妨げられることなく実行することができる。
【００１３】
(3)  上記第１受け部材及び上記第３受け部材のうち、上記第１位置にある上記第２受け部材の上記第１把持部側に位置する部材は、上記第１向きの下流端から、上記第２受け部材が上記第１位置且つ上記第３受け部材が第３位置の状態における上記第１把持部の真上の位置まで上記第１向きに沿って凹んだ凹部を有する。
【００１４】
本構成によれば、第２受け部材の第１位置から第２位置への移動を、第１受け部材及び第３受け部材のうち第２受け部材の第１把持部側に配置された部材に妨げられることなく実行することができる。
【００１５】
(4)  上記第１受け部材は、上記第２受け部材よりも上方に設けられている。上記第２受け部材は、上記第３受け部材よりも上方に設けられている。
【００１６】
本構成によれば、第２受け部材を第１受け部材から引き出し且つ第３受け部材を第２受け部材から引き出した状態において、第１向きの下流側が上流側よりも低位置となる。これにより、装置から排出されるシートが、各受け部材の境界部の段差に引っかかることを防止することができる。
【００１７】
(5)  上記第１把持部は、上記第２把持部よりも上記第１向き上流側に設けられている。
【００１８】
本構成によれば、シートトレイのユーザは、第１把持部よりも第１向き下流側に設けられた第２把持部を把持して第３受け部材を引き出す方が第１把持部を把持して第２受け部材を引き出すよりも、受け部材を全体として大きく引き出すことができることを直感的に判断することができる。
【００１９】
(6)  上記第１把持部及び上記第２把持部は、上記第１向きと直交し且つ上記第１支持面に沿った幅方向において、互いに重複する位置に設けられている。
【００２０】
本構成によれば、第１把持部と第２把持部とが互いに近い位置に設けられているため、把持する把持部の選択を容易に実行することができる。
【００２１】
(7)  上記第１把持部は、上記幅方向において、上記第２受け部材の中央部に設けられている。上記第２把持部は、上記幅方向において、上記第３受け部材の中央部に設けられている。
【００２２】
本構成によれば、第１把持部または第２把持部を把持して受け部材を引き出す際に、当該受け部材を斜行させることなく第１向きに沿って真っ直ぐ引き出すことができる。つまり、受け部材が斜行して他の部材などに引っかかってしまう可能性を低くすることができる。
【００２３】
(8)  上記第２受け部材は、上記第１把持部を把持して上記第２受け部材を上記第１向きに移動させたときに上記第１支持面及び上記第２支持面に支持可能なシートサイズを示す第１表示部を備える。上記第３受け部材は、上記第２把持部を把持して上記第３受け部材及び上記第２受け部材を上記第１向きに移動させたときに上記第１支持面、上記第２支持面、及び上記第３支持面に支持可能なシートサイズを示す第２表示部を備える。
【００２４】
本構成によれば、第１表示部及び第２表示部の表示に基づいて把持する把持部を選択して受け部材を引き出すことによって、シートトレイにおけるシート支持面を支持させたいシートサイズに適した大きさにすることができる。
【００２５】
(9)  上記第１把持部は、上記第２支持面に対して起立する姿勢と上記第２支持面に対して倒伏する姿勢とに回動する第１回動ストッパを備える。
【００２６】
本構成によれば、第１回動ストッパを起立させることによって、シートトレイに支持されたシートがシートトレイから落下する可能性を低くすることができる。また、第１回動ストッパは第１把持部に備えられているために、シートトレイのユーザは、第１把持部を把持して第２受け部材を引き出す動作と、第１回動ストッパを回動させる動作とを連続的に実行することができる。
【００２７】
(10)  上記第２把持部は、上記第３支持面に対して起立する姿勢と上記第３支持面に対して倒伏する姿勢とに回動する第２回動ストッパを備える。
【００２８】
本構成によれば、第２回動ストッパを起立させることによって、シートトレイに支持されたシートがシートトレイから落下する可能性を低くすることができる。また、第２回動ストッパは第２把持部に備えられているために、シートトレイのユーザは、第２把持部を把持して第３受け部材を引き出す動作と、第２回動ストッパを回動させる動作とを連続的に実行することができる。
【発明の効果】
【００２９】
本発明に係るシートトレイにおいては、ユーザが把持する把持部を複数の把持部から選択するだけで、つまり手間を要することなく、シートサイズに応じた適切な大きさの支持面を形成することができる。
【図面の簡単な説明】
【００３０】
【図１】図１は、複合機１０の斜視図である。
【図２】図２は、プリンタ部１２の内部構造を模式的に示す縦断面図である。
【図３】図３は、給紙トレイ２０の斜視図である。
【図４】図４は、第２受け部材８２が第１位置且つ第３受け部材８３が第３位置の状態の排紙トレイ２１の斜視図である。
【図５】図５（Ａ）は、図４の排紙トレイ２１の平面図であり、図５（Ｂ）は、図５（Ａ）のＢ−Ｂ断面図である。
【図６】図６は、第２受け部材８２が第２位置且つ第３受け部材８３が第３位置の状態の排紙トレイ２１の斜視図である。
【図７】図７（Ａ）は、図６（Ｂ）の排紙トレイ２１の平面図であり、図７（Ｂ）は、図７（Ａ）のＢ−Ｂ断面図である。
【図８】図８は、第２受け部材８２が第２位置且つ第３受け部材８３が第４位置の状態の排紙トレイ２１の斜視図である。
【図９】図９（Ａ）は、図８（Ｂ）の排紙トレイ２１の平面図であり、図９（Ｂ）は、図９（Ａ）のＢ−Ｂ断面図である。
【図１０】図１０は、変形例８における第２受け部材８２が第１位置且つ第３受け部材８３が第３位置の状態の排紙トレイ２１の平面図である。
【発明を実施するための形態】
【００３１】
以下、本発明の実施形態について説明する。なお、以下に説明される実施形態は本発明の一例にすぎず、本発明の要旨を変更しない範囲で、実施形態を適宜変更できることは言うまでもない。また、以下の説明では、複合機１０が使用可能に設置された状態（図１の状態）を基準として上下方向７が定義され、開口１３が設けられている側を手前側として前後方向８が定義され、複合機１０を手前側（正面）から見て左右方向９が定義される。
【００３２】
［複合機１０の全体構成］
図１に示されるように、複合機１０（本発明の装置の一例）は、概ね直方体に形成されている。複合機１０は、その上部に、原稿に記録された画像をイメージセンサによって読み取って画像データを取得するスキャナ部１１を備えており、その下部に、上記画像データなどに基づいて、記録用紙１５（本発明のシートの一例、図２参照）に画像を記録するプリンタ部１２を備えている。スキャナ部１１は、所謂フラットベッドスキャナとして構成されているが、ここでは、スキャナ部１１の内部構成の詳細な説明は省略される。プリンタ部１２は、正面に開口１３が形成されたプリンタ筐体１４を有している。
【００３３】
図２に示されるように、プリンタ筐体１４の内部には、開口１３から前後方向８に挿抜可能であって内部に記録用紙１５が収容される給紙トレイ２０と、給紙トレイ２０の上側に設けられた排紙トレイ２１（本発明のシートトレイの一例）と、記録用紙１５を搬送路２３に沿って搬送させる搬送ローラ対６３及び排出ローラ対６６と、搬送路２３を搬送される記録用紙１５に画像を記録する記録部２４などが配設されている。画像が記録された記録用紙１５は、排紙トレイ２１に排出され、排紙トレイ２１に支持される。ここで、排紙トレイ２１は、給紙トレイ２０に支持されており、給紙トレイ２０と一体に開口１３に対して挿入及び脱抜される。なお、排紙トレイ２１については、後に詳細に説明される。
【００３４】
図３に示されるように、給紙トレイ２０は、記録用紙１５が載置される底板７４と、底板７４の左右両端から上向きに立設された一対の側板７５とを備えている。底板７４に載置された記録用紙１５は、給紙ローラ２５（図２参照）によって搬送路２３へ給送される。
【００３５】
図２に示されるように、搬送路２３は、給紙トレイ２０の後端部を基点として、下方から上方に延びつつＵターンしてから、前向きに延びて排紙トレイ２１に至る通路である。搬送路２３は、所定間隔を隔てて互いに対向する第１ガイド部材３１及び第２ガイド部材３２によって構成される空間である。記録用紙１５は、給紙トレイ２０から搬送路２３に給送され、搬送路２３を、図２に破線矢印で示される向きである搬送向き１６に搬送される。つまり、記録用紙１５は、下方から上方に延びつつＵターンするように搬送された後に、前向きに搬送されて排紙トレイ２１に排出される。
【００３６】
図２に示されるように、搬送路２３における記録部２４よりも搬送向き１６の上流側には、搬送ローラ６１及びピンチローラ６２よりなる搬送ローラ対６３が設けられている。ピンチローラ６２は、ばねなどの弾性部材（不図示）によって搬送ローラ６１のローラ面に圧接されている。搬送路２３における記録部２４よりも搬送向き１６の下流側には、排出ローラ６４及び拍車６５よりなる排出ローラ対６６が設けられている。拍車６５は、ばねなどの弾性部材（不図示）によって排出ローラ６４のローラ面に圧接されている。搬送ローラ６１及び排出ローラ６４は、搬送用モータ（不図示）から駆動力が伝達されることによって回転され、ピンチローラ６２及び拍車６５との間に記録用紙１５を挟持しつつ搬送向き１６へ搬送する。
【００３７】
図２に示されるように、記録部２４は、搬送路２３の上側に配置されている。記録部２４は、搬送路２３に対向可能な位置に設けられた記録ヘッド３７と、記録ヘッド３７を搭載したキャリッジ３８とを備えている。記録ヘッド３７には、インクカートリッジ（不図示）から供給されたインクを搬送路２３に向けて吐出するための複数のノズル３６が形成されている。キャリッジ３８は、左右方向９に往復移動可能に構成されている。キャリッジ３８が往復移動されながら、搬送路２３を搬送される記録用紙１５に向けてノズル３６からインク滴が吐出される。これにより、記録用紙１５に画像が記録される。なお、本実施形態において、記録部２４が記録用紙１５に画像を記録する方式は、インクジェット記録方式であるが、これに限らず、例えば電子写真方式などであってもよい。
【００３８】
［排紙トレイ２１］
図４、図６、及び図８に示されるように、排紙トレイ２１は、第１受け部材８１と、第１受け部材８１よりも下方に設けられた第２受け部材８２と、第２受け部材８２よりも下方に設けられた第３受け部材８３とを備えている。図３に示されるように、第１受け部材８１（詳細には後述する一対の側板８９）は、その左右両端部を、給紙トレイ２０の側板７５によって支持されている。第２受け部材８２は、第１受け部材８１によって前後方向８に移動可能に支持されており、第１受け部材８１から記録用紙１５の排出向き１７（本発明の第１向きの一例、図２参照）である前向きに引き出され且つ後向きに押し入れられる。第３受け部材８３は、第２受け部材８２によって前後方向８に移動可能に支持されており、第２受け部材８２から前向きに引き出され且つ後向きに押し入れられる。
【００３９】
図５に示されるように、第３受け部材８３が第２受け部材８２に押し入れられた状態で、第２受け部材８２は第３受け部材８３の上方を覆っている。図４に示されるように、第２受け部材８２が第１受け部材８１に押し入れられ且つ第３受け部材８３が第２受け部材８２に押し入れられた状態で、第１受け部材８１は、第１受け部材８１よりも下方に位置する第２受け部材８２及び第３受け部材８３の上方を覆っている。また、第２受け部材８２は、第２受け部材８２よりも下方に位置する第３受け部材８３の上方を覆っている。
【００４０】
排紙トレイ２１は、ハガキなどの小サイズの記録用紙１５に画像記録が行われる場合に、図４及び図５に示される状態で使用される。すなわち、排紙トレイ２１は、第３受け部材８３が第２受け部材８２に対して押し入れられ且つ第２受け部材８２が第１受け部材８１に対して押し入れられた状態であり、第１受け部材８１における後述する支持板８７の上面８８のみで記録用紙１５を支持する。
【００４１】
排紙トレイ２１は、Ａ４などのサイズの記録用紙１５に画像記録が行われる場合に、図６及び図７に示される状態で使用される。すなわち、排紙トレイ２１は、第２受け部材８２が第１受け部材８１から引き出されているが第３受け部材８３が第２受け部材８２に押し入れられた状態であり、上面８８及び第２受け部材８２における後述する支持板９０の上面９１で記録用紙１５を支持する。
【００４２】
排紙トレイ２１は、Ａ３などのサイズの記録用紙１５に画像記録が行われる場合に、図８及び図９に示される状態で使用される。すなわち、排紙トレイ２１は、第２受け部材８２が第１受け部材８１から引き出され且つ第３受け部材８３が第２受け部材８２から引き出された状態であり、上面８８、上面９１、及び第３受け部材８３における後述する支持板９３の上面９４で記録用紙１５を支持する。
【００４３】
図４に示される状態では、各受け部材８１、８２の前端が同一面を形成している。また、図４及び図６に示される状態では、各受け部材８２、８３の前端が同一面を形成している。なお、各受け部材８１、８２、８３の前端は、他の受け部材８１、８２、８３に押し入れられた状態で同一面を形成していなくてもよい。
【００４４】
［第１受け部材８１］
図４及び図５に示されるように、第１受け部材８１は、厚さ方向が上下方向７の板状の部材である支持板８７と、支持板８７の左右両端部から下向きに延びた一対の側板８９とを備えている。支持板８７の上面８８（本発明の第１支持面の一例）は、前後方向８及び左右方向９に拡がっており、複合機１０から排出された記録用紙１５が支持される。
【００４５】
本実施形態において、第１受け部材８１は第２受け部材８２を前後方向８に移動可能に支持する構成は、以下のようなものである。つまり、一対の側板８９における左右方向９の内側の面には、当該側板８９の後端付近から前端付近まで概ね前後方向８に沿って延びた溝（不図示）が形成されている。当該溝には、後述する第２受け部材８２の一対の側板９２Ａに設けられた凸部（不図示）が挿入される。
【００４６】
また、後述するように、第２受け部材８２の各支持板９０Ａ、９０Ｂ及び第３受け部材８３の各支持板９３Ａ、９３Ｂ、９３Ｃの隣り合う支持板同士が、互いに前後方向８に移動可能に支持し或いは支持される構成も、上述と同様に溝及び凸部を備えた構成である。なお、各受け部材８１、８２、８３の各支持板が互いに前後方向８に移動可能に支持し或いは支持される構成は、上述した溝及び凸部による構成に限らず、他の公知の構成が採用されてもよい。
【００４７】
［第２受け部材８２］
図６及び図７に示されるように、第２受け部材８２は、厚さ方向が上下方向７である板状の部材である２枚の支持板９０Ａ、９０Ｂと、各支持板９０の左右両端部から下向きに延びた一対の側板９２とを備えている。一対の側板９２は各支持板９０に対応して２組（一対の側板９２Ａ、９２Ｂ）設けられている。なお、支持板９０は、１枚または３枚以上であってもよく、一対の側板９２は、１組または３組以上であってもよい。
【００４８】
各支持板９０の上面９１（本発明の第２支持面の一例）は、前後方向８及び左右方向９に拡がっており、複合機１０から排出された記録用紙１５が支持される。第２受け部材８２が第１受け部材８１に押し入れられた状態において、支持板９０Ａは支持板９０Ｂの上方を覆っている（図４参照）。
【００４９】
図４に示されるように、支持板９０Ａから延びた一対の側板９２Ａは、左右方向９において、一対の側板８９の内側に一対の側板８９と対向して設けられている。一対の側板９２Ａにおける一対の側板８９と対向する面の後端部には、一対の側板８９に向けて延びた凸部（不図示）が設けられている。当該凸部は、一対の側板８９に形成された溝に挿入されている。当該凸部は、当該溝の下側を区画する面によって支持されている。一対の側板９２Ａにおける左右方向９の内側の面には、一対の側板９２Ａの後端付近から前端付近まで概ね前後方向８に沿って延びた溝（不図示）が形成されている。
【００５０】
支持板９０Ｂから延びた一対の側板９２Ｂは、左右方向９において、一対の側板９２Ａの内側に一対の側板９２Ａと対向して設けられている。一対の側板９２Ｂにおける一対の側板９２Ａと対向する面の後端部には、一対の側板９２Ａに向けて延びた凸部（不図示）が設けられている。当該凸部は、一対の側板９２Ａに形成された溝に挿入されている。当該凸部は、当該溝の下側を区画する面によって支持されている。一対の側板９２Ｂにおける左右方向９の内側の面には、一対の側板９２Ｂの後端付近から前端付近まで概ね前後方向８に沿って延びた溝（不図示）が形成されている。
【００５１】
以上より、各凸部が各溝の後端に位置しているとき、つまり第２受け部材８２が第１受け部材８１に押し入れられているとき（図４参照）、上方からの平面視で、第２受け部材８２の上面９１の全てが、第１受け部材８１の上面８８と重畳している。このときの第２受け部材８２の位置が本発明の第１位置である。
【００５２】
一方、各凸部が各溝の前端に位置しているとき、つまり支持板９０Ｂが支持板９０Ａから引き出され、支持板９０Ａが第１受け部材８１から引き出されているとき（図６及び図７参照）、上方からの平面視で、支持板９０Ａの上面９１の後端部が、第１受け部材８１の上面８８の前端部と重畳している。このときの第２受け部材８２の位置が本発明の第２位置である。第２受け部材８２が第２位置のときにおける第２受け部材８２の上面９１の第１受け部材８１の上面８８に対する重畳面積は、第２受け部材８２が第１位置のときのそれよりも小さい。なお、このとき、第２受け部材８２の下方は、第３受け部材８３に覆われている。
【００５３】
［第３受け部材８３］
図８及び図９に示されるように、第３受け部材８３は、厚さ方向が上下方向７である板状の部材である３枚の支持板９３Ａ、９３Ｂ、９３Ｃと、支持板９３の左右両端部から下向きに延びた一対の側板９５と、を備えている。一対の側板９５は、支持板９３Ａ、９３Ｂ対応して２組（一対の側板９５Ａ、９５Ｂ）設けられている。なお、支持板９３Ｃに対応した側板９５が設けられていてもよい。また、支持板９３は、２枚以下または４枚以上であってもよく、一対の側板９２は、１組または３組以上であってもよい
【００５４】
各支持板９３の上面９４（本発明の第３支持面の一例）は、前後方向８及び左右方向９に拡がっており、複合機１０から排出された記録用紙１５が支持される。第３受け部材８３が第２受け部材８２に押し入れられた状態において、支持板９３Ａは支持板９３Ｂの上方を覆っており、支持板９３Ｂは支持板９３Ｃの上方を覆っている（図４参照）。
【００５５】
支持板９３Ａから延びた一対の側板９５Ａは、左右方向９において、一対の側板９２Ｂの内側に一対の側板９２Ｂと対向して設けられている。一対の側板９５Ａにおける一対の側板９２Ｂと対向する面の後端部には、一対の側板９２Ｂに向けて延びた凸部（不図示）が設けられている。当該凸部は、一対の側板９２Ｂに形成された溝に挿入されている。当該凸部は、当該溝の下側を区画する面によって支持されている。一対の側板９５Ａにおける左右方向９の内側の面には、当該側板９５Ａの後端付近から前端付近まで概ね前後方向８に沿って延びた溝（不図示）が形成されている。
【００５６】
支持板９３Ｂから延びた一対の側板９５Ｂは、左右方向９において、一対の側板９５Ａの内側に一対の側板９５Ａと対向して設けられている。一対の側板９５Ｂにおける一対の側板９５Ａと対向する面の後端部には、一対の側板９５Ａに向けて延びた凸部（不図示）が設けられている。当該凸部は、一対の側板９５Ａに形成された溝に挿入されている。当該凸部は、当該溝の下側を区画する面によって支持されている。一対の側板９５Ｂにおける左右方向９の内側の面には、当該側板９５Ｂの後端付近から前端付近まで概ね前後方向８に沿って延びた溝（不図示）が形成されている。
【００５７】
支持板９３Ｃの左右両側面の後端部には、一対の側板９５Ｂに向けて延びた凸部（不図示）が設けられている。当該凸部は、一対の側板９５Ｂに形成された溝に挿入されている。当該凸部は、当該溝の下側を区画する面によって支持されている。
【００５８】
以上より、各凸部が各溝の後端に位置しているとき、つまり第３受け部材８３が第２受け部材８２に押し入れられているとき（図４参照）、上方からの平面視で、第３受け部材８３の上面９４の全てが、第２受け部材８２の上面９１と重畳している。このときの第３受け部材８３の位置が本発明の第３位置である。
【００５９】
一方、各凸部が各溝の前端に位置しているとき、つまり支持板９３Ｃが支持板９３Ｂから引き出され、支持板９３Ｂが支持板９３Ａから引き出され、支持板９３Ａが第２受け部材８２から引き出されているとき（図８参照）、上方からの平面視で、支持板９３Ａの上面９４の後端部が、第２受け部材８２の上面９１の前端部と重畳している。このときの第３受け部材８３の位置が本発明の第４位置である。図９に示されるように、第３受け部材８３が第４位置のときにおける第３受け部材８３の上面９４の第２受け部材８２の上面９１に対する重畳面積は、第３受け部材８３が第３位置のときのそれよりも小さい。
【００６０】
［第１把持部４１及び第２把持部４２］
図４に示されるように、第２受け部材８２には、第１把持部４１が形成されている。第１把持部４１は、左右方向９における上面９１の中央部に設けられており、また、前後方向８における上面９１の前端部に設けられている。第１把持部４１は、第１回動ストッパ４３と、第１回動ストッパ４３に設けられた凹部４４とを備えている。
【００６１】
第１回動ストッパ４３は、支持板９０Ｂに回動可能に取り付けられている。以下に詳述する。図６に示されるように、支持板９０Ｂには、その前端から後向きに切り欠かれた後述する凹部４８が設けられている。また、第１回動ストッパ４３の左右両側面には突起９６が設けられている。突起９６は、凹部４８の右側面及び左側面に形成された穴（不図示）に挿入されている。これにより、第１回動ストッパ４３は、突起９６を軸として、第２受け部材８２に対して倒伏した倒伏姿勢（図６（Ａ）参照）と起立した起立姿勢（図６（Ｂ）参照）との間で、矢印９７の方向（図７（Ｂ）参照）に回動する。図４に示されるように、凹部４４は、倒伏姿勢の第１回動ストッパ４３の上面から下向きに凹んでいる。凹部４４は、複合機１０のユーザの指が挿入可能な大きさである。
【００６２】
図８に示されるように、第３受け部材８３には、第２把持部４２が形成されている。第２把持部４２は、左右方向９における上面９４の中央部に設けられており、また、前後方向８における上面９４の前端部に設けられている。第２把持部４２は、第２回動ストッパ４５と、第２回動ストッパ４５に設けられた凹部４６とを備えている。
【００６３】
第２回動ストッパ４５は、第１回動ストッパ４３と同様にして、支持板９３Ｃに回動可能に取り付けられている。つまり、第２回動ストッパ４５の左右両側面に設けられた突起９８（図７（Ｂ）及び図９（Ｂ）参照）が、支持板９３Ｃに設けられた後述する凹部４７の右側面及び左側面に形成された穴（不図示）に挿入されている。これにより、第２回動ストッパ４５は、突起９８を軸として、第３受け部材８３に対して倒伏した倒伏姿勢（図８（Ａ）参照）と起立した起立姿勢（図８（Ｂ）参照）との間で、矢印９９の方向（図９（Ｂ）参照）に回動する。図４に示されるように、凹部４６は、倒伏姿勢の第２回動ストッパ４５の上面から下向きに凹んでいる。凹部４６は、複合機１０のユーザの指が挿入可能な大きさである。
【００６４】
なお、各把持部４１、４２は、複合機１０のユーザが各受け部材８２、８３を第１受け部材８１に対して引き出したり押し入れたりすることができるならば、回動ストッパ４３、４５と凹部４４、４６とを備えた構成に限らない。例えば、各把持部４１、４２は、各受け部材８２、８３の上面９１、９４に形成された凹部４４、４６のみで構成されており、回動ストッパ４３、４５が設けられていない構成であってもよい。また、例えば、各把持部４１、４２は、凹部４４、４６の代わりに、複合機１０のユーザが把持可能な上向きに突出した突起を備えていてもよい。
【００６５】
図４に示されるように、第１把持部４１及び第２把持部４２は、左右方向９（本発明の幅方向の一例）においてほぼ同位置、つまり殆どの部分において互いに重複する位置に設けられている。なお、第１把持部４１及び第２把持部４２は、殆どの部分でなく一部のみが互いに重複する位置関係であってもよい。また、図４〜図９に示されるように、第１把持部４１は、各受け部材８２、８３の位置にかかわらず、第２把持部４２よりも後方（排出向き１７上流側）に設けられている。
【００６６】
［凹部４７〜４９］
図８及び図９に示されるように、第３受け部材８３の各支持板９３は、その前端から前後方向８に沿って後向きに凹んだ凹部４７を有している。凹部４７は、左右方向９において、第２把持部４２と同位置に設けられている。また、凹部４７は、前後方向８において、第３受け部材８３が第３位置のときに第２把持部４２の真上となる位置まで凹んでいる。これにより、図６及び図７に示されるように、第３受け部材８３が第３位置のときに第２受け部材８２が上方から視認された場合、第２把持部４２は凹部４７及び後述する凹部４８を介して視認可能である。つまり、凹部４７は、第２把持部４２を上方に露出する。
【００６７】
図８及び図９に示されるように、第２受け部材８２の各支持板９０は、その前端から前後方向８に沿って後向きに凹んだ凹部４８を有している。凹部４８は、左右方向９において、各把持部４１、４２と同位置に設けられている。また、凹部４８は、前後方向８において、第３受け部材８３が第３位置のときに第２把持部４２の真上となる位置であって、第２受け部材８２が第１位置のときに第１把持部４１の真上となる位置まで凹んでいる。これにより、図６及び図７に示されるように、第３受け部材８３が第３位置のときに第２受け部材８２が上方から視認された場合、第２把持部４２は凹部４７、４８を介して視認可能である。また、図４及び図５に示されるように、第２受け部材８２が第１位置のときに第１受け部材８１が上方から視認された場合、第１把持部４１は凹部４７、４８及び後述する凹部４９を介して視認可能である。つまり、凹部４８は、第１把持部４１及び第２把持部４２を上方に露出する。
【００６８】
図８及び図９に示されるように、第１受け部材８１の支持板８７は、その前端から前後方向８に沿って後向きに凹んだ凹部４９を有している。凹部４９は、左右方向９において、各把持部４１、４２と同位置に設けられている。また、凹部４９は、前後方向８において、第２受け部材８２が第１位置且つ第３受け部材８３が第３位置のときに第１把持部４１の真上となる位置まで凹んでいる。これにより、図４及び図５に示されるように、第２受け部材８２が第１位置且つ第３受け部材８３が第３位置のときに第１受け部材８１が上方から視認された場合、各把持部４１、４２は凹部４７〜４９を介して視認可能である。つまり、凹部４９は、第１把持部４１および第２把持部４２を上方に露出する。
【００６９】
［引き出し動作］
以下、図４及び図５に示される状態において、複合機１０のユーザが、第１把持部４１を把持して第２受け部材８２を第１受け部材８１から引き出す動作、及び、ユーザが、第２把持部４２を把持して第２受け部材８２及び第３受け部材８３を第１受け部材８１から引き出す動作が説明される。
【００７０】
ユーザが第１把持部４１の凹部４４に上方から指を挿入して第２受け部材８２を前向きに移動させると、図６及び図７に示されるように、第２受け部材８２の各支持板９０Ａ、９０Ｂは第１受け部材８１から引き出されて、第２受け部材８２は第１位置から第２位置に移動する。このとき、ユーザの指が支持板９０Ｂよりも上方に設けられた支持板９０Ａ及び第１受け部材８１と接触することによって、第２受け部材８２の移動が妨げられることはない。なぜなら、ユーザの指は、凹部４８、４９によって形成される空間を経て各受け部材８１、８２の前端を通過できるからである。つまり、凹部４８、４９によって、第２受け部材８２が第１位置から第２位置に移動可能な状態が維持される。また、この際、第３受け部材８３は、第２受け部材８２と一体に移動し、第２受け部材８２が第２位置に到達して停止されたときに第３受け部材８３も停止する。
【００７１】
以上のように、ユーザが第１把持部４１を把持して第２受け部材８２を前向きに動かすと、第２受け部材８２が第１位置から第２位置へ移動するとともに第３受け部材８３は第３位置を維持する。その結果、複合機１０から排出された記録用紙１５は、第１受け部材８１の上面８８及び第２受け部材８２の上面９１によって支持される。
【００７２】
一方、ユーザが第２把持部４２の凹部４６に上方から指を挿入して第３受け部材８３を前向きに移動させると、第３受け部材８３は第２受け部材８２から引き出されて、第３位置から第４位置に移動する。このとき、第２受け部材８２は、未だ第１位置を維持している。また、このとき、ユーザの指が支持板９３Ｃよりも上方に設けられた支持板９３Ａ、９３Ｂ、第２受け部材８２、及び第１受け部材８１と接触することによって、第３受け部材８３の移動が妨げられることはない。なぜなら、ユーザの指は、凹部４７、４８、４９によって形成された空間を経て各受け部材８１、８２の前端を通過できるからである。つまり、凹部４７、４８、４９によって、第３受け部材８３が第３位置から第４位置に移動可能な状態が維持される。続けて、ユーザが第３受け部材８３を前向きに移動させると、第２受け部材８２が第３受け部材８３に引っ張られて第３受け部材８３と一体に前向きに移動する。これにより、図８及び図９に示されるように、第２受け部材８２は、第１受け部材８１から引き出されて、第１位置から第２位置に移動する。
【００７３】
以上のように、ユーザが第２把持部４２を把持して第３受け部材８３を前向きに動かすと、第３受け部材８３が第３位置から第４位置へ移動し且つ第２受け部材８２が第１位置から第２位置へ移動する。その結果、複合機１０から排出された記録用紙１５は、各受け部材８１の上面８８、９１、９４によって支持される。
【００７４】
［実施形態の効果］
本実施形態によれば、ユーザが第１把持部４１を把持して第２受け部材８２を前方に移動させると、第２受け部材８２は第１受け部材８１から引き出されて第１位置から第２位置に移動する。このとき、第３受け部材８３は、第２受け部材８２と一体に前方に移動する。つまり、第３受け部材８３は、ユーザに触れられていないため、第２受け部材８２に対して移動することはない。以上より、ユーザが第１把持部４１を把持して第２受け部材８２を第２位置に移動させることにより、排紙トレイ２１における記録用紙１５の支持面が、上面８８及び上面９１によって形成される。
【００７５】
一方、ユーザが第２把持部４２を把持して第３受け部材８３を前方に移動させると、第３受け部材８３は第２受け部材８２から引き出されて第３位置から第４位置に移動する。そして、ユーザが更に第３受け部材８３を前方に移動させると、第２受け部材８２は、第３受け部材８３と一体に前方に移動する。その結果、第２受け部材８２は、第１受け部材８１から引き出されて第１位置から第２位置に移動する。以上より、ユーザが第２把持部４２を把持して第３受け部材８３を前方に移動させることにより、第３受け部材８３は第４位置に移動し且つ第２受け部材８２は第２位置に移動する。その結果、排紙トレイ２１における記録用紙１５の支持面が、上面８８、９１、９４によって形成される。
【００７６】
以上より、本実施形態によれば、ユーザが把持する把持部４１、４２に応じて記録用紙１５の支持面の大きさを変えることができる。具体的には、ユーザが第１把持部４１を把持して前方に移動させることで、記録用紙１５の支持面の大きさを、所定サイズの記録用紙１５の支持に適した大きさにでき、ユーザが第２把持部４２を把持して前方に移動させることで、記録用紙１５の支持面の大きさを、上記所定サイズよりも大きなサイズの記録用紙１５の支持に適した大きさにできる。つまり、ユーザが把持する把持部４１、４２を複数から選択するだけで、すなわち手間を要することなく、記録用紙１５のサイズに応じた適切な大きさの支持面を形成することができる。
【００７７】
また、本実施形態によれば、凹部４７が備えられているため、第３受け部材８３の第３位置から第４位置への移動を、第１受け部材８１及び第２受け部材８２に妨げられることなく実行できる。また、凹部４８が備えられているため、第２受け部材８２の第１位置から第２位置への移動を、第１受け部材８１に妨げられることなく実行できる。
【００７８】
また、本実施形態によれば、図８に示された状態において、第３受け部材８３が第２受け部材８２よりも低位置となり、第１受け部材８１が第２受け部材８２よりも低位置となる。これにより、複合機１０から排出される記録用紙１５が、各受け部材８１、８２、８３の境界部の段差に引っかかることを防止することができる。
【００７９】
また、本実施形態によれば、第１把持部４１が第２把持部４２よりも後方に設けられているため、ユーザは、第２把持部４２を把持して第３受け部材８３を引き出す方が第１把持部４１を把持して第２受け部材８２を引き出すよりも、受け部材８２、８３を全体として大きく引き出すことができることを直感的に判断することができる。
【００８０】
また、本実施形態によれば、第１把持部４１と第２把持部４２とを左右方向９において重複させて、互いに近い位置に設けている。そのため、把持する把持部４１、４２の選択を容易に実行することができる。
【００８１】
また、本実施形態によれば、第１把持部４１及び第２把持部４２が左右方向９における中央部に設けられているため、第１把持部４１または第２把持部４２を把持して受け部材８２、８３を引き出す際に、当該受け部材８２、８３を斜行させることなく前方に真っ直ぐ引き出すことができる。つまり、受け部材８２、８３が斜行して他の部材などに引っかかってしまう可能性を低くすることができる。
【００８２】
また、本実施形態によれば、回動ストッパ４３、４５を起立させることによって、排紙トレイ２１に支持された記録用紙１５が排紙トレイ２１から落下する可能性を低くすることができる。また、回動ストッパ４３、４５は把持部４１、４２に備えられているために、ユーザは、把持部４１、４２を把持して受け部材８２、８３を引き出す動作と、回動ストッパ４３、４５を回動させる動作とを連続的に実行することができる。
【００８３】
［変形例］
上述の実施形態では、各把持部４１、４２は、凹部４４、４６に上方から指を挿入されることによって、上面８８、９１側から把持されたが、下面側から把持されてもよい。この場合、各受け部材８１、８２、８３に設けられる凹部４７、４８、４９は、各把持部４１、４２を上方ではなく下方に露出させる。つまり、第１受け部材８１及び第２受け部材８２のうち、第３位置にある第３受け部材８３の第２把持部４２側（詳細には第２把持部４２の上方または下方のうち露出させたい側）に位置する部材は、第２把持部４２を露出し、第１位置にある第２受け部材８２の第１把持部４１側（詳細には第１把持部４１の上方または下方のうち露出させたい側）に位置する部材は、第１把持部４１を露出する。
【００８４】
また、上述の実施形態では、第１受け部材８１が第２受け部材８２よりも上方に設けられており、第２受け部材８２が第３受け部材８３よりも上方に設けられていたが、各受け部材８１、８２、８３の上下方向７における配置順序はこれに限らない。例えば、第３受け部材８３が第２受け部材８２よりも上方に設けられており、第２受け部材８２が第１受け部材８１よりも上方に設けられていてもよい。この場合、最も上方に位置する第３受け部材８３が第１受け部材８１及び第２受け部材８２の上方を覆っている。
【００８５】
また、配置順序が上述の実施形態と異なる場合でも、各受け部材８１、８２、８３に、各把持部４１、４２を露出させるように凹部４７、４８、４９が設けられることは、言うまでもない。つまり、第１受け部材８１及び第２受け部材８２のうち、第３位置にある第３受け部材８３の第２把持部４２側（詳細には第２把持部４２の上方または下方のうち露出させたい側）に位置する部材は、凹部４９、４８を有する。また、第１受け部材８１及び第３受け部材８３のうち、第１位置にある第２受け部材８２の第１把持部４１側（詳細には第１把持部４１の上方または下方のうち露出させたい側）に位置する部材は、凹部４９、４７を有する。
【００８６】
また、上述の実施形態では、各受け部材８１、８２、８３は凹部４７、４８、４９を備えることによって各把持部４１、４２を露出していたが、凹部以外によって各把持部４１、４２を露出させてもよい。例えば、第３受け部材８３が第１受け部材８１及び第２受け部材８２よりも上方に設けられている場合、第３受け部材８３の支持板９３には開口が設けられ、当該開口によって各把持部４１、４２が露出されてもよい。
【００８７】
また、第１把持部４１は、上述の実施形態のように、第２把持部４２よりも後方に設けられることが好ましいが、第１把持部４１は、第２把持部４２よりも前方に設けられていてもよいし、第２把持部４２と前後方向８において同位置であってもよい。例えば、第１把持部４１が排紙トレイ２１の右端部に設けられ、第２把持部４２が排紙トレイ２１の左端部に設けられていてもよい。
【００８８】
また、第１把持部４１及び第２把持部４２は、上述の実施形態のように、左右方向９において互いに重複していることが好ましいが、互いに重複していなくてもよい。
【００８９】
また、上述の実施形態では、第１把持部４１及び第２把持部４２は、左右方向９において中央部に設けられていたが、中央部以外、例えば左端部に設けられていてもよい。
【００９０】
また、上述の実施形態では、下方に位置する受け部材が上方に位置する受け部材に押し入れられた状態において、上方に位置する受け部材は下方に位置する受け部材を完全に上方から覆っていたが、一部のみを覆っていてもよい。例えば、下方に位置する受け部材が上方に位置する受け部材に押し入れられた状態において、下方に位置する受け部材の前端部が上方に位置する受け部材の前端よりも前方に位置していてもよい。なお、この前方に位置した部分が、本発明の第１把持部及び第２把持部として機能してもよい。
【００９１】
また、図１０（Ａ）に示されるように、第１把持部４１の凹部４４の上面には、第１表示部５１が設けられていてもよい。第１表示部５１は、複合機１０のユーザが第１把持部４１を把持して第２受け部材８２を第１受け部材８１から引き出したときに、第１受け部材８１及び第２受け部材８２の上面８８、９１によって支持可能な記録用紙１５のサイズを示す表記である。第１表示部５１は、上面８８、９１によって支持可能な記録用紙１５がＡ４サイズであることを示すために「Ａ４」と表記されている。なお、第１表示部５１の表記は、Ａ４以外、例えばＢ４などであってもよい。
【００９２】
また、第２把持部４２の凹部４６の上面には、第２表示部５２が設けられていてもよい。第２表示部５２は、複合機１０のユーザが第２把持部４２を把持して第３受け部材８３及び第２受け部材８２を第１受け部材８１から引き出したときに、各受け部材８１、８２、８３の上面８８、９１、９４によって支持可能な記録用紙１５のサイズを示す表記である。第２表示部５２は、上面８８、９１、９４によって支持可能な記録用紙１５がＡ３サイズであることを示すために「Ａ３」と表記されている。なお、第２表示部５２の表記は、第１表示部５１よりも大きな記録用紙１５のサイズであれば、Ａ３以外、例えばＢ３などであってもよい。
【００９３】
なお、各表示部５１、５２は、複合機１０のユーザが視認し易い位置であれば、各把持部４１、４２以外に設けられていてもよく、例えば、第１受け部材８１の上面８８における各把持部４１、４２の近傍に設けられていてもよい（図１０（Ｂ）参照）。
【００９４】
上記構成によれば、第１表示部５１及び第２表示部５２の表示に基づいて把持する把持部４１、４２を選択して受け部材８２、８３を引き出すことによって、排紙トレイ２１におけるシート支持面（上面８８、９１、９４）を、支持させたい記録用紙１５のサイズに適した大きさにすることができる。
【００９５】
また、上述の実施形態では、排紙トレイ２１が本発明のシートトレイの一例として説明されたが、本発明のシートトレイは排紙トレイ２１に限らない。例えば、本発明のシートトレイは、複合機１０へ給送される記録用紙１５が支持される手差しトレイでもよい。
【符号の説明】
【００９６】
２１・・・排紙トレイ
４１・・・第１把持部
４２・・・第２把持部
８１・・・第１受け部材
８２・・・第２受け部材
８３・・・第３受け部材
【図１】
2015034067.tif 000003
【図２】
2015034067.tif 000004
【図３】
2015034067.tif 000005
【図４】
2015034067.tif 000006
【図５】
2015034067.tif 000007
【図６】
2015034067.tif 000008
【図７】
2015034067.tif 000009
【図８】
2015034067.tif 000010
【図９】
2015034067.tif 000011
【図１０】
2015034067.tif 000012